(57)【要約】【課題】本発明は、蓋体を開けた際にタンク本体に対して保持させることが可能であり、蓋体をタンク本体から容易に取り外すことも可能である粒剤等の収容タンクを提供すること。【解決手段】本発明の収容タンク２０は、上部に開口部３６を有するタンク本体３４と、開口部を閉じる蓋体３８と、タンク本体の外面にて支持され、蓋体によりタンク本体の開口部を閉じた状態において、蓋体と係合してこれを固定する第一の位置から係合を解除する第二の位置へ枢動可能となっているフックと、を備え、フックは蓋体と係合したままの状態で枢動可能となっており、且つ、  フックが第二の位置にある場合に、蓋体の縁部と係合し、フックと協働して蓋体を静止状態に保持する係合部が、タンク本体の外面に設けられていることを特徴とする。【選択図】  図４
2004323083.tif 000002
【特許請求の範囲】
【請求項１】
上部に開口部（３６）を有するタンク本体（３４）と、
前記開口部（３６）を閉じる蓋体（３８）と、
前記タンク本体（３４）の外面にて支持され、前記蓋体（３８）により前記タンク本体（３４）の前記開口部（３６）を閉じた状態において、前記蓋体（３８）と係合してこれを固定する第一の位置から前記係合を解除する第二の位置へ枢動可能となっているフック（４４）と、
を備え、
前記フック（４４）は前記蓋体（３８）と係合したままの状態で枢動可能となっており、且つ、
前記フック（４４）が前記第二の位置にある場合に、前記蓋体（３８）の縁部と係合し、前記フック（４４）と協働して前記蓋体（３８）を静止状態に保持する係合部（４９）が、前記タンク本体（３４）の外面に設けられていることを特徴とする収容タンク。
【請求項２】
前記係合部（４９）が前記フック（４４）を枢支するフック支持金具（４６）から構成されていることを特徴とする請求項１に記載の収容タンク。
【請求項３】
前記フック（４４）及び前記係合部（４９）が当該収容タンク（２０）の前後にそれぞれ設けられていることを特徴とする請求項１又は２に記載の収容タンク。
【発明の詳細な説明】
【０００１】
【発明の属する技術分野】
本発明は、粒剤等を収容するための収容タンクに関し、特に、乗用管理機等に搭載される粒剤散布装置における収容タンクに関する。
【０００２】
【従来の技術】
水田や畑作において中間管理作業を行うための乗用管理機には、粒剤散布装置が搭載された型式のものがある。従来一般の粒剤散布装置は、例えば特許文献１や特許文献２に記載されるように、肥料等の粒剤を収容する収容タンクと、収容タンクの下部から粒剤を繰り出す繰出し装置とから構成されており、繰出し装置により繰り出された粒剤を直接、或いは、散布管を通して散布するようになっている。
【０００３】
収容タンクは、上部が開口されたタンク本体と、このタンク本体の上部開口部を閉じる蓋体とから構成されている。一般的には、蓋体は粒剤投入時にタンク本体から完全に取り外される。しかしながら、取り外した蓋体を保管するスペースを確保することが困難である場合や、地面に置いた場合には汚れてしまう場合がある等の問題があった。
【０００４】
このため、従来においては、特許文献２に記載されているように、通常の場合は蓋体をタンク本体から分離することなく保持でき、しかも必要に応じてタンク本体から取り外すこともできるよう、蓋体をタンク本体に対して脱着可能に枢支させたものが提案されている。
【０００５】
【特許文献１】
特開２０００−３３３５８４号公報
【０００６】
【特許文献２】
実開平７−４３９８号公報
【０００７】
【発明が解決しようとする課題】
しかしながら、特許文献２に記載のような従来の収容タンクは、ねじによって蓋体をタンク本体に脱着可能に枢支しているため、洗浄等のために蓋体をタンク本体から取り外した場合には手間がかかるという問題点があった。
【０００８】
そこで、本発明は、蓋体を開けた際にタンク本体に対して保持させることが可能であり、蓋体をタンク本体から容易に取り外すことも可能である粒剤等の収容タンクを提供することにある。
【０００９】
【課題を解決するための手段】
上記目的を達成するために、本発明による収容タンク（２０）は、上部に開口部（３６）を有するタンク本体（３４）と、開口部（３６）を閉じる蓋体（３８）と、タンク本体（３４）の外面にて支持され、蓋体（３８）によりタンク本体（３４）の開口部（３６）を閉じた状態において、蓋体（３８）と係合してこれを固定する第一の位置から係合を解除する第二の位置へ枢動可能となっているフック（４４）と、を備え、フック（４４）は蓋体（３８）と係合したままの状態で枢動可能となっており、且つ、フック（４４）が第二の位置にある場合に、蓋体（３８）の縁部と係合し、フック（４４）と協働して蓋体（３８）を静止状態に保持する係合部（４９）が、タンク本体（３４）の外面に設けられていることを特徴としている。
【００１０】
この構成では、フック（４４）が蓋体（３８）のヒンジとして機能する一方、従来から知られたフック（４４）本来の機能は損なわれていないので、蓋体（３８）を容易にタンク本体（３４）から取り外すことができる。
【００１１】
なお、係合部（４９）としてはフック（４４）を枢支するフック支持金具（４６）から構成されたものが、部品点数を少なくするために好ましい。
【００１２】
また、フック（４４）及び係合部（４９）が当該収容タンク（２０）の前後にそれぞれ設けられていることが有効である。前後で開閉することができるからである。
【００１３】
【発明の実施の形態】
以下、図面を参照して本発明の好適な実施形態について詳細に説明する。
【００１４】
図１は、本発明が適用された乗用管理機の一種、ブームスプレーヤを示している。図示するように、本実施形態に係るブームスプレーヤ１０は、走行台車１２の前方に液剤散布装置であるブームノズル装置１４が設置されており、更に、そのブームノズル装置１４に粒剤散布装置１６が搭載されている。
【００１５】
粒剤散布装置１６は、ブームノズル装置１４のセンタブーム１８に対して脱着可能に設置されるようになっている。この粒剤散布装置１６は、図２に示すように、粒剤を収容する収容タンク２０と、収容タンク２０の下部開口から粒剤を所望量で繰り出すための繰出し装置２２と、繰出し装置２２により繰り出された粒剤を散布するための散布管２４から主に構成されている。散布管２４はブームノズル装置１４のセンタブーム１８及びサイドブーム２６に沿って配置されている。なお、符号２８は、収容タンク２０をセンタブーム１８に固定するための支持フレームである。
【００１６】
かかる粒剤散布装置１６は、走行台車１２の前方に配置されているため、運転席３０から散布状態を視認することが可能である。また、粒剤を収容タンク２０に投入する場合には、前側から行うことも、平行リンク機構３２により上昇させた状態では運転席３０から行うことも可能となっている。
【００１７】
図３は収容タンク２０の断面図である。図示するように、収容タンク２０は、上部が開口されたホッパ状のタンク本体３４と、タンク本体３４の上部開口部３６を覆うようにして閉じる蓋体３８とから構成されている。
【００１８】
タンク本体３４の上部開口部３６を画している上縁部は、その全周にわたり、外側に折り返されており、これによりタンク本体３４の強度が増されている。
【００１９】
また、蓋体３８は平板状であるが、その外周縁はタンク本体３４の上縁の折返し部に掛かるよう垂下されている。また、蓋体３８の前後の外縁部には、それぞれ、１対の隆起部４０が形成されている。この隆起部４０は、図４に明示するように、蓋体３８でタンク本体３４の上部開口部３６を閉じた状態にて、タンク本体３４の前板４２ａ及び後板４２ｂのそれぞれに設けられたフック４４が係合され、蓋体３８をタンク本体３４に固定できるようにしている。
【００２０】
フック４４は金属製の丸棒を屈曲加工して形成されたものである。各フック４４の両端部は、タンク本体３４の前板部４２ａ及び後板部４２ｂの外面に固定されたフック支持金具４６の丸穴４８に嵌合され、これによってフック４４を枢動可能に支持している。フック支持金具４６はＬ字状であり、丸穴４８が形成されている部分４９は、タンク本体３４から離れる方向に突出している。また、フック４４は、フック支持金具４６から湾曲部５０を経て、タンク本体３４の外側へと延びている。この湾曲部５０は、図３及び図４に示した係合解除位置（第二の位置）において、下方に膨らむ円弧状となっている。円弧の直径は、蓋体３８の外縁部の最大高さ（隆起部４０における位置の厚さ）よりも大きく、従って蓋体３８の外縁部を収容できる大きさとなっている。フック４４の両湾曲部５０間は、前板部４２ａ又は後板部４２ｂの上縁に平行に延びており、その両端の部分が蓋体３８の隆起部４０と係合する係合部５４となっている。なお、この係合部５４間はフック４４を操作するためのハンドル部５６となっている。
【００２１】
このようなフック４４は、図３〜図５に示す係合解除位置と、図２及び図６に示す係合位置（第一の位置）との間で、上下に枢動することができる。係合解除位置では、図５に示すように、蓋体３８の隆起部４０から分離させることができるので、前後のフック４４を図５の状態とすることで、蓋体３８をタンク本体３４から完全に取り外すことができる。従って、蓋体３８のみ洗浄作業等もフック４４の係合を解除するだけで、簡単に行うことができる。また、係合位置では、図６に示すように、タンク本体３４の上縁部に蓋体３８を適正に載せた状態であれば隆起部４０と係合し、蓋体３８はタンク本体３４の上部開口部３６を閉じた状態とする。
【００２２】
ここで、一方のフック４４、例えば後側（運転席３０側）のフック４４を係合解除位置として隆起部４０から分離させ、前側のフック４４はそのまま隆起部４０に係合させた状態とする。この状態で、蓋体３８の後縁部を持ち上げると、蓋体３８は、前側の隆起部４０が前側のフック４４と係合状態を維持したまま、フック４４の枢支点（丸穴４８の中心）を中心にして回動する。そして、蓋体３８の回動を続けると、図３、特に図４に示すように、蓋体３８の前縁部の下縁６０が、フック支持金具４６の突出部４９の下縁に接する。従って、蓋体３８は静止状態で安定することとなり、作業者は、蓋体３８をタンク本体３４から取り外すことなく、運転席３０の側から粒剤をタンク本体３４に投入することができる。
【００２３】
図３及び図４の位置からタンク本体３４の上部開口部３６を閉じるには、蓋体３８を逆方向に回動させればよいが、その際、蓋体３８の前側の隆起部４４は前側のフック４４と係合状態を保っているので、蓋体３８はフック４４の枢支点を中心として安定して回動し、蓋体３８はタンク本体３４の上部の所望位置に載り、確実にタンク本体３４の上部開口部３６を閉じることができる。収容タンク２０が大型化した場合、蓋体３８も大型化するため、蓋体３８を完全にタンク本体３４から取り外した場合には、蓋体３８を元の位置に戻す際、位置合わせ等に手間がかかるが、本実施形態の構成では、蓋体３８を回動させるだけでよく、位置合わせ等の手間は不要となる。
【００２４】
上記の蓋体３８の開閉操作は、前後逆にして行うことが可能であるので、蓋体３８を前側から開けて、前側から粒剤を投入することができる。勿論、この場合も蓋体３８をタンク本体３４から取り外さずに行うことができる。
【００２５】
以上、本発明の好適な実施形態について詳細に説明したが、本発明は上記実施形態に限定されないことは言うまでもない。
【００２６】
例えば、上記実施形態では、前後に同一形状のフックと隆起部が設けられているが、収容タンクの蓋体が一方向のみからの開閉で足りる場合等には、一方の側のフック及び隆起部が上記構成を備えていればよい。
【００２７】
また、上記実施形態では、フック支持金具に蓋体の縁部が係合することとなっているが、フック支持金具とは別個に、蓋体の縁部が係合する係合部を設けることとしてもよい。
【００２８】
更に、上記実施形態は粒剤を収容するための収容タンクに係るものであるが、収容されるものについては粒剤に限られない。
【００２９】
【発明の効果】
以上述べたように、本発明によれば、蓋体を固定するためのフックをヒンジとして使用し、蓋体をタンク本体から分離させずに、開閉を行うことができる。従って、蓋体をタンク本体から取り外して、適当な保管スペースに置くための手間等がない。また、蓋体をタンク本体から完全に取り外すこともでき、しかもその取外し作業はフックを回動させるだけの容易なものである。従って、収容タンクに係る作業性が大いに向上される。
【図面の簡単な説明】
【図１】本発明による収容タンクを備えたブームスプレーヤを示す側面図である。
【図２】本発明による収容タンクを示す斜視図である。
【図３】本発明による収容タンクを示す断面図である。
【図４】図３の収容タンクの要部を拡大して示す断面図であり、蓋体を係合したままフックを係合解除位置とした状態を示す図である。
【図５】図３の収容タンクの要部を拡大して示す断面図であり、蓋体からフックを外した状態を示す図である。
【図６】図３の収容タンクの要部を拡大して示す断面図であり、蓋体にフックを係合させた状態を示す図である。
【符号の説明】
１０…ブームスプレーヤ、１２…走行台車、１４…ブームノズル装置、１６…粒剤散布装置、２０…粒剤タンク、３４…タンク本体、３６…上部開口部、３８…蓋体、４０…隆起部、４４…フック、４６…フック支持金具、４９…係合部。
【図１】
2004323083.tif 000003
【図２】
2004323083.tif 000004
【図３】
2004323083.tif 000005
【図４】
2004323083.tif 000006
【図５】
2004323083.tif 000007
【図６】
2004323083.tif 000008